(57)【要約】【課題】箱状の物品を収納した包装袋を鞄と一緒に所持した場合や他の包装袋と同時に所持した場合であっても、箱状の物品を水平状態に維持できるようにする。【解決手段】包装袋４０は、略直方体形状の物品２０を収納可能に構成された収納部４１と、略直方体形状の物品２０のいずれかの一辺と接する側の包装袋４０の一方の長上辺４４から延びて、対向する包装袋４０の他方の長上辺４５に至るように形成された２本の長尺状の手提げ部４２，４３を有する。インラインで進行する筒状のプラスチックフィルムに対して、シール工程、不要部分を取り除く工程、裁断分離工程、又は溶断工程などを施して、上記包装袋を製造する。【選択図】  図４
2016108047.tif 000002
【特許請求の範囲】
【請求項１】
略直方体形状の物品を収納可能に構成された収納部と、
前記略直方体形状の物品のいずれかの一辺と接する側の前記収納部の一方の上辺から延びて、対向する前記収納部の他方の上辺に至るように形成された長尺状の手提げ部と
を備えたことを特徴とする包装袋。
【請求項２】
請求子１に記載の包装袋において、前記略直方体形状の物品が長四角形で形成されている場合、前記手提げ部が前記略直方体形状の物品の長辺と接する側の前記収納部の上辺から対向する上辺に至るように形成されていることを特徴とする包装袋。
【請求項３】
請求項１又は２に記載の包装袋において、前記手提げ部が前記収納部の上辺の両端からそれぞれ対向する上辺の両端に至るように形成された２本の長尺状部材で構成されることを特徴とする包装袋。
【請求項４】
インラインで進行する筒状のプラスチックフィルムに対して、包装袋の側面部となる部分をシールすると共に分離する溶断工程を実施して全閉状の袋を作成し、
前記全閉状の袋の１又は複数枚束ねたものの前記インラインの進行方向と平行な片縁の手提げ部側から不要部分を取り除く工程を実施することによって、
請求項１、２又は３に記載の包装袋を製造することを特徴とする包装袋製造方法。
【請求項５】
インラインで進行する筒状のプラスチックフィルムに対して、包装袋の側面部となる部分をシールするシール工程と、
前記シール工程後の前記プラスチックフィルムの前記インラインの進行方向と平行な片縁の手提げ部側から不要部分を取り除く工程と、
前記取り除く工程後の前記プラスチックフィルムに形成されている溶着部又は接着部を裁断分離する工程によって、
請求項１、２又は３に記載の包装袋をインライン方式にて製造することを特徴とする包装袋製造方法。
【請求項６】
インラインで進行する筒状のプラスチックフィルムの前記インラインの進行方向と平行な片縁の手提げ部側から不要部分を取り除く工程と、
前記取り除く工程後の前記プラスチックフィルムに対して、包装袋の側面部となる部分をシールすると共に分離する溶断工程を実施することによって、
請求項１、２又は３に記載の包装袋をインライン方式にて製造することを特徴とする包装袋製造方法。
【請求項７】
請求項４又は６に記載の包装袋製造方法において、前記溶断工程に代えて、
前記取り除く工程後の前記プラスチックフィルムに対して、包装袋の側面部となる部分をシールするシール工程と、
前記シール工程後の前記プラスチックフィルムに形成されている溶着部又は接着部を裁断分離する工程を実施することを特徴とする包装袋製造方法。
【請求項８】
請求項４から７までのいずれか１に記載の包装袋製造方法において、前記筒状のプラスチックフィルムの前記インラインの進行方向と平行な両縁又は片縁に折り込み部を形成し、
前記折り込み部が包装袋の手提げ部側に形成されている場合、前記不要部分に前記折り込み部が含まれるようにしたことを特徴とする包装袋製造方法。
【発明の詳細な説明】
【技術分野】
【０００１】
本発明は、商品を収納する包装袋及び包装袋製造方法に係り、特に食品などを収納した直方体状の箱などを手提げ可能に収納するのに適した包装袋及び包装袋製造方法に関する。
【背景技術】
【０００２】
包装袋は、スーパーマーケット等の店舗で使用される手提げ可能なプラスチックフィルム製（ポリエチレンフィルム、ポリプロピレンフィルム）の包装袋などが広く使用されている。このようなプラスチックフィルム製の包装袋は、安価で、軽量で、強度も高く、また、耐水性に優れる等の特性を有しており、レジ袋と称され、購入商品を収納して手提げ可能に持ち帰ることのできる買い物袋代わりとして使用されている
【０００３】
スーパーマーケットなどで使用されるレジ袋は、把手片の形成された筒状の包装袋で構成され、野菜や包装された肉、メーカにて包装された食品などのように様々な形状の商品を収納して，それらを手提げ買い物袋として利用されている。このようなレジ袋として、特許文献１に記載のようなものが知られている。
【０００４】
特許文献１に記載のレジ袋は、手際よく、かつ、レジ袋の収容スペースに効率的に商品を詰めることができるように構成にしたものである。
【先行技術文献】
【特許文献】
【０００５】
【特許文献１】特開２００６−１３１２５０号公報
【発明の開示】
【発明が解決しようとする課題】
【０００６】
特許文献１に記載のレジ袋は、長いビン等は倒れないように保持可能であり、また、弁当やケーキを収納した箱等を水平の状態に保持可能であり、持ち運び時に商品が倒れることを防止することができるものである。しかしながら、鞄と一緒にレジ袋を保持した場合や複数のレジ袋を同時に保持した場合に、レジ袋内の商品が倒れるおそれがあり、また弁当箱やケーキを収納した箱等ついては水平状態を維持することができないという問題を有する。
【０００７】
本発明は、上述の点に鑑みてなされたものであり、箱状の物品を収納した包装袋を鞄と一緒に所持した場合や他の包装袋と同時に所持した場合であっても、箱状の物品を水平状態に維持することのできる包装袋及びこの包装袋を容易に製造することのできる包装袋製造方法を提供することを目的とする。
【課題を解決するための手段】
【０００８】
本発明に係る包装袋の第１の特徴は、略直方体形状の物品を収納可能に構成された収納部と、前記略直方体形状の物品のいずれかの一辺と接する側の前記収納部の一方の上辺から延びて、対向する前記収納部の他方の上辺に至るように形成された長尺状の手提げ部とを備えたことにある。
これは、包装袋に略直方体形状の物品（商品や箱）を収納した場合に、収納部の開口部もこの物品の形状に対応して略長方形状となるので、この開口部の一方の上辺から対向する他方の上辺に至るように長尺状（紐状）の手提げ部を設けるようにしたものである。
一般的なレジ袋の場合、手提げ部が略長方形状の開口部の四隅の内の一つの隅から他方の隅に至るように、すなわち直交する２つの上辺から他方の直交する２つの上辺に至るように形成されているため、包装袋を鞄と一緒に所持した場合や他の包装袋と同時に所持した場合に、物品が弁当箱やケーキを収納した箱等であると、斜めに傾き、それによって弁当箱の内容物やケーキなどが箱内で滑り移動して、内容物同士が接触して、形が崩れてしまう。これに対して、この発明に係る手提げ部は、対向する上辺同士が接続されているので、その上辺を底辺、手提げ部の内側辺をそれぞれ斜辺とする略正三角形に近い二等辺三角形が形成されるので、物品の傾きを吸収し、物品を水平に維持することができるようになる。
【０００９】
本発明に係る包装袋の第２の特徴は、前記第１の特徴に記載の包装袋において、前記略直方体形状の物品が長四角形で形成されている場合、前記手提げ部が前記略直方体形状の物品の長辺と接する側の前記収納部の上辺から対向する上辺に至るように形成されていることにある。
これは、包装袋に収納される略直方体形状の物品（商品や箱）が長四角形で形成された直方体の場合に、その物品の長辺と接する側の開口部の一方の上辺から対向する他方の上辺に至るように長尺状（紐状）の手提げ部を設けるようにしたものである。収納される物品の底面が正方形の場合は、いずれか一つの上辺から対向する他方の上辺に至るように手提げ部を設ければよいが、長四角形で形成された直方体の場合には、長辺と接する側の上辺に手提げ部を設けるようにした。
【００１０】
本発明に係る包装袋の第３の特徴は、前記第１又は第２の特徴に記載の包装袋において、前記手提げ部が前記収納部の上辺の両端からそれぞれ対向する上辺の両端に至るように形成された２本の長尺状部材で構成されることにある。
手提げ部は、対向する上辺同士を接続するものであれば、一本でも２本でもよいが、この発明は、手提げ部が上辺の両端に設けられた２本の紐状の長尺状部材で構成されるようにしたものである。
【００１１】
本発明に係る包装袋製造方法の第１の特徴は、インラインで進行する筒状のプラスチックフィルムに対して、包装袋の側面部となる部分をシールすると共に分離する溶断工程を実施して全閉状の袋を作成し、前記全閉状の袋の１又は複数枚束ねたものの前記インラインの進行方向と平行な片縁の手提げ部側から不要部分を取り除く工程を実施することによって、前記第１、第２又は第３の特徴に記載の包装袋を製造することにある。
これは、前記第１、第２又は第３の特徴に記載された包装袋を製造する方法の発明に関するものであり、インラインで進行する筒状のプラスチックフィルムに対して、包装袋の側面部となる部分をシールすると共に分離する溶断工程を実施することによって、全閉状の袋をインライン方式にて作成するものである。筒状のプラスチックフィルムのインライン進行方向と平行な両縁又は片縁に折り込み部が形成されている場合もあれば、折り込み部の無い場合もある。折り込み部の無い場合は、溶断工程によって全閉状の平袋が作成されることになる。従来は、溶断工程にて分離された両縁が包装袋の手提げ部の上端付近及び収納部底辺となるように、不要部分を取り除いているが、この発明では、インラインの進行方向と平行な片縁から不要部分を取り除くことによって、その片縁に手提げ部が形成され、その反対側に収納部が形成されるようにして、前記第１、第２又は第３の特徴に記載された包装袋を製造している。また、不要部分の形状は、折り込み部の有無や折り込み量に応じた種々変形可能な形状となっている。さらに、不要部分の個数は、手提げ部が１本の紐状の長尺状部材で構成される場合には、包装袋の側面部を含む２個の不要部分となり、手提げ部が２本の紐状の長尺状部材で構成される場合には、包装袋の側面部を含む３個の不要部分となる。
【００１２】
本発明に係る包装袋製造方法の第２の特徴は、インラインで進行する筒状のプラスチックフィルムに対して、包装袋の側面部となる部分をシールするシール工程と、前記シール工程後の前記プラスチックフィルムの前記インラインの進行方向と平行な片縁の手提げ部側から不要部分を取り除く工程と、前記取り除く工程後の前記プラスチックフィルムに形成されている溶着部又は接着部を裁断分離する工程によって、請求項１、２又は３に記載の包装袋をインライン方式にて製造することにある。
これは、前記第１、第２又は第３の特徴に記載された包装袋をインライン方式にて製造する方法の発明に関するものであり、インラインで進行する筒状のプラスチックフィルムに対して、シール工程、不要部分を取り除く工程、裁断分離する工程を順次実施して、上述のような包装袋をインライン方式で製造するようにしたものである。
【００１３】
本発明に係る包装袋製造方法の第３の特徴は、インラインで進行する筒状のプラスチックフィルムの前記インラインの進行方向と平行な片縁の手提げ部側から不要部分を取り除く工程と、前記取り除く工程後の前記プラスチックフィルムに対して、包装袋の側面部となる部分をシールすると共に分離する溶断工程を実施することによって、請求項１、２又は３に記載の包装袋をインライン方式にて製造することにある。
これは、前記第１、第２又は第３の特徴に記載された包装袋をインライン方式にて製造する方法の発明に関するものであり、インラインで進行する筒状のプラスチックフィルムに対して、不要部分を取り除く工程を実施後に、溶断工程を実施して、上述のような包装袋をインライン方式で製造するようにしたものである。
【００１４】
本発明に係る包装袋製造方法の第４の特徴は、前記第１又は第３の特徴に記載の包装袋製造方法において、前記溶断工程に代えて、前記取り除く工程後の前記プラスチックフィルムに対して、包装袋の側面部となる部分をシールするシール工程と、前記シール工程後の前記プラスチックフィルムに形成されている溶着部又は接着部を裁断分離する工程を実施することにある。
これは、シールと分離をほぼ同時に実施する溶断工程に代えて、シール工程実施後に裁断分離する工程を実施するようにしたものである。
【００１５】
本発明に係る包装袋製造方法の第５の特徴は、前記第１の特徴から第４の特徴までのいずれか１に記載の包装袋製造方法において、前記筒状のプラスチックフィルムの前記インラインの進行方向と平行な両縁又は片縁に折り込み部を形成し、前記折り込み部が包装袋の手提げ部側に形成されている場合、前記不要部分に前記折り込み部が含まれるようにしたことにある。
これは、インラインで進行する筒状のプラスチックフィルムの両縁に折り込み部（マチ）が形成されている場合、又は筒状のプラスチックフィルムの片縁であって、手提げ部側に折り込み部（マチ）が形成されている場合には、手提げ部側の不要部分に前記折り込み部（マチ）を含むようにしたものである。これによって、折り込み部（マチ）が不要部分として取り除かれるので、残った部分の折り込み部（マチ）を延ばすことによって、手提げ部を形成できる。
【発明の効果】
【００１６】
本発明の包装袋によれば、箱状の物品を収納した包装袋を鞄と一緒に所持した場合や他の包装袋と同時に所持した場合であっても、箱状の物品を水平状態に維持することができるという効果がある。
本発明の包装袋製造方法によれば、箱状の物品を収納した包装袋を鞄と一緒に所持した場合や他の包装袋と同時に所持した場合であっても、箱状の物品を水平状態に維持することができる包装袋を容易に製造することができるという効果がある。
【図面の簡単な説明】
【００１７】
【図１】図１（Ａ）は、一般的な包装袋に略直方体形状の物品を収納した状態の一例を示す斜視図であり、図１（Ｂ）は、図１（Ａ）の包装袋が畳まれた状態を示す図である。
【図２】図１の包装袋１０に略直方体形状の物品２０を収納した状態の詳細構成を示す三角図であり、図２（Ａ）は正面図、図２（Ｂ）は図２（Ａ）の側面図、図２（Ｃ）は図２（Ａ）の上面図である。
【図３】図３（Ａ）は、図１及び図２に示すような包装袋１０を鞄と一緒に所持した場合を示し、図３（Ｂ）は、他の包装袋と同時に所持した場合を示す図である。
【図４】図４（Ａ）は、この実施の形態に係る包装袋に略直方体形状の物品を収納した状態の一例を示す斜視図であり、図４（Ｂ）は、図４（Ａ）の包装袋が畳まれた状態を示す図である。
【図５】図４の包装袋４０に略直方体形状の物品２０を収納した状態の詳細構成を示す三角図であり、図５（Ａ）は正面図、図５（Ｂ）は図５（Ａ）の側面図、図５（Ｃ）は図５（Ａ）の上面図である。
【図６】図６（Ａ）は、図４及び図５に示す実施の形態に係る包装袋を鞄と一緒に所持した場合を示し、図６（Ｂ）は、他の包装袋と同時に所持した場合を示す図である。
【図７】インラインで進行する両縁に折り込み部（マチ）のある筒状のプラスチックフィルムから全閉状の袋を作り、全閉状の袋をオフラインにて１０〜１００枚重ねて、折り込み部（マチ）の部分を打ち抜いて取り除くことによって、包装袋を製造する工程の一例を示す図である。
【図８】図７の製造方法の変形例を示す図である。
【図９】図８の製造方法の変形例を示す図である。
【図１０】インラインで進行する両縁に折り込み部（マチ）のある筒状のプラスチックフィルムから折り込み部（マチ）の部分を打ち抜いて取り除き、その後に溶断工程を実行することによって包装袋をインライン方式で製造する工程の一例を示す図である。
【図１１】図１０の製造方法の変形例を示す図である。
【図１２】図１１の製造方法の変形例を示す図である。
【図１３】図７〜図１２に示す包装袋製造方法にて製造された包装袋に略直方体形状の物品を収納した状態の一例を示す斜視図であり、図４（Ａ）に対応するものである。
【発明を実施するための形態】
【００１８】
以下添付図面に従って本発明に係る包装袋の好ましい実施の形態について説明する。図１（Ａ）は、一般的な包装袋１０に略直方体形状の物品を収納した状態の一例を示す斜視図であり、図１（Ｂ）は、図１（Ａ）の包装袋１０が畳まれた状態を示す図である。図２は、図１の包装袋１０に略直方体形状の物品２０を収納した状態の詳細構成を示す三角図であり、図２（Ａ）は正面図、図２（Ｂ）は図２（Ａ）の側面図、図２（Ｃ）は図２（Ａ）の上面図である。
【００１９】
図１（Ａ）に示すように、包装袋１０は、略直方体形状の物品２０を収納可能に構成された収納部１１と、収納部１１の上辺１４〜１７から上に延びる２つの手提げ部１２，１３を有する。
【００２０】
収納部１１は、長方形状の底面と、この底面の各辺から上方に立ち上がる４つの長方形状の側面とから形成される略直方体状をしており、上面が開口している。収納部１１の上辺１４，１５には、開口部を閉じるための結び部材が設けられているものをあるが、ここでは省略してある。
【００２１】
各手提げ部１２，１３は、収納部１１の長方形状の開口部の四隅の内の一つの隅から他方の隅に至るように、すなわち、それぞれ直交する各上辺１４〜１７の隅部から上方に延在するように形成され、その延在部の上端付近が製造過程にて形成される溶着部又は接着部を介して接続され、長尺状の手提げ用紐を形成している。溶着部又は接着部が存在しない場合もある。また、溶着部又は接着部にラックなどに係合するための孔を有する場合もある。
【００２２】
図３（Ａ）は、図１及び図２に示すような包装袋１０を鞄と一緒に所持した場合を示し、図３（Ｂ）は、他の包装袋１０ａ，１０ｂと同時に所持した場合を示す図である。包装袋１０を革製の比較的大きくて重い鞄と同時に所持した場合、図３（Ａ）に示すように、包装袋１０内の略直方体形状の物品２０の上辺側部が鞄の側面に接触し、そのまま斜めに傾いた状態となる。
【００２３】
同様に、包装袋１０ａ，１０ｂを同時に所持した場合、図３（Ｂ）に示すように、包装袋１０ａ，１０ｂ内の略直方体形状の物品２０ａ，２０ｂの互いの上辺側部同士が接触し、そのまま斜めに傾いた状態となる。
【００２４】
図３に示すように、物品２０，２０ａ，２０ｂが弁当箱やケーキを収納した箱等であると、斜めに傾くことによって、弁当箱の内容物やケーキなどが箱内で滑り移動して、内容物同士が接触して、形が崩れるという問題を有していた。
【００２５】
図４（Ａ）は、この実施の形態に係る包装袋４０に略直方体形状の物品２０を収納した状態の一例を示す斜視図であり、図４（Ｂ）は、図４（Ａ）の包装袋４０が畳まれた状態を示す図である。図５は、図４の包装袋４０に略直方体形状の物品２０を収納した状態の詳細構成を示す三角図であり、図５（Ａ）は正面図、図５（Ｂ）は図５（Ａ）の側面図、図５（Ｃ）は図５（Ａ）の上面図である。図４及び図５において、図１及び図２と同じ構成のものには同一の符号が付してある。
【００２６】
図４（Ａ）に示すように、包装袋４０は、略直方体形状の物品２０を収納可能に構成された収納部４１と、略直方体形状の物品２０のいずれかの一辺と接する側の包装袋４０の一方の長上辺４４から延びて、対向する包装袋４０の他方の長上辺４５に至るように形成された２本の長尺状の手提げ部４２，４３を有する。
【００２７】
収納部４１は、図１の収納部１１と同じ構成をしている。収納部４１の長上辺４４，４５に、開口部を閉じるための結び部材を設けてもよい。
【００２８】
各手提げ部４２，４３は、収納部４１の長方形状の開口部を構成する４つの長上辺４４，４５及び短上辺４６，４７のうち、略直方体形状の物品２０の長辺と接する側の収納部４１の長上辺４４から延びて、対向する長上辺４５に至るように形成されている。各手提げ部４２，４３の上端付近は、図１の包装袋１０と同様に、製造過程にて形成される溶着部又は接着部を有する。なお、溶着部又は接着は存在しなくてもよい。また、溶着部又は接着部にラックなどに係合するための孔が設けてあってもよい。
【００２９】
図６（Ａ）は、図４及び図５に示す実施の形態に係る包装袋を鞄と一緒に所持した場合を示し、図６（Ｂ）は、他の包装袋と同時に所持した場合を示す図である。この実施の形態に係る包装袋４０を革製の比較的大きくて重い鞄と同時に所持した場合、図６（Ａ）に示すように、包装袋４０内の略直方体形状の物品２０の側面が鞄の側面に密着するように接触し、物品２０は水平状態を維持することができる。
【００３０】
同様に、この実施の形態に係る包装袋４０ａ，４０ｂを同時に所持した場合、図６（Ｂ）に示すように、包装袋４０ａ，４０ｂ内の略直方体形状の物品２０ａ，２０ｂの対向する側面同士が密着するように接触し、物品２０ａ，２０ｂは水平状態を維持することができる。
【００３１】
図６に示すように、物品２０，２０ａ，２０ｂが弁当箱やケーキを収納した箱等であっても、水平状態を維持することができるので、弁当箱の内容物やケーキなどが箱内で滑り移動して接触することもなくなり、安定した運搬を可能にすることができる。
【００３２】
図４及び図５の包装袋は、図２（Ｂ）に示す収納部１１の長方形状の開口部の上辺１６，１７の延長線上に沿って、手提げ部１２，１３に点線で示すような切り込み１６ａ，１６ｂを入れ、手提げ部１２，１３を上辺１６から切り離すことによって作成することができる。
【００３３】
切り離された手提げ部４２，４３の切り込み１６ａ，１６ｂに対応する部分は、長上辺４４，４５側の手提げ部４２，４３に溶着又は接着することによって、図５（Ｂ）に示すようなに収納部４１の長方形状の開口部の長上辺４４，４５にのみ接続される手提げ部４２，４３とすることができる。また、この場合、切り込み１６ａ，１６ｂに対応する部分に補強用のテープ等を貼付してもよい。また、手提げ部４２，４３と長上辺４４，４５との交差する幅（長さ）は、収納する物品の重さに応じて、適宜選択することによって、包装袋１０の強度自体を決定することができる。
【００３４】
なお、図１及び図２に示す包装袋に切り込みを入れることによって、図４及び図５のような包装袋を作成してもよいが、後述する包装袋製造方法にて、図４及び図５のような手提げ部４２，４３を作成するようにしてもよい。
【００３５】
図１及び図２に示すような包装袋１０を鞄と一緒に所持した場合及び他の包装袋１０ａ，１０ｂと同時に所持した場合に、包装袋１０内の物品２０が斜めに傾くのに対して、図４及び図５のような手提げ部４２，４３とすることによって、傾かなくなる。
【００３６】
これは、図１及び図２に示すような包装袋１０の場合、上辺１６，１７の長さが手提げ部１２，１３の長さに比べて非常に短いため、図２（Ｂ）及び図３に示すように、上辺１６，１７を底辺、手提げ部１２，１３の内側辺を斜辺とする二等辺三角形の形状が非常に細長いものとなる。さらに、手提げ部１２，１３の溶着部又は接着部に手指を挿入した場合、この細長い二等辺三角形は細長い長方形状に近い形となるため、その細長い二等辺三角形又は細長い長方形状が維持されるようになる。そのために、包装袋１０内の物品２０は斜めに傾くようになる。
【００３７】
これに対して、図４及び図５に示すような包装袋４０の場合、短上辺４６，４７の長さが手提げ部４２，４３の長さの約半分以上あるため、図４（Ｂ）及び図５に示すように、短上辺４６，４７を底辺、手提げ部４２，４３の内側辺をそれぞれ斜辺とする二等辺三角形が略正三角形に近い形となる。手提げ部４２，４３の溶着部又は接着部に手指を挿入した場合でも、この正三角形状の形は維持されるようになる。そのために、包装袋４０内の物品２０が斜めに傾くようになると、手提げ部４２，４３の溶着部又は接着部の位置が外側にずれて、正三角形状の形は略直角三角形のようになり、物品２０の傾きを吸収し、物品２０を水平に維持することができるようになる。
【００３８】
なお、両サイドにフックを備えた市販の手提げホルダーに手提げ部４２，４３を係合することによって、手提げ部４２，４３が手提げホルダーのフックを滑り、物品２０を水平に維持するという効果はさらに大きくなる。
【００３９】
上述の実施の形態では、２本の手提げ部４２，４３を長上辺４４，４５の両端部に設ける場合について説明したが、１本の手提げ部を長上辺４４，４５の中央付近に設けてもよい。この場合、長上辺４４，４５の全体から上方に向かうほど先細るような三角形状の紐で構成してもよい。
【００４０】
図７〜図１２は、図４及び図５のような手提げ部４２，４３を備えた包装袋を製造する場合の一例を示す図である。通常、包装袋は、筒状のプラスチックフィルムに対して印字工程、シール工程、打ち抜き工程、裁断工程などをオフライン方式又はインライン方式にて実施することによって製造される。
【００４１】
図７は、インラインで進行する両縁に折り込み部（マチ）のある筒状のプラスチックフィルムから全閉状の袋を作り、全閉状の袋をオフラインにて１０〜１００枚重ねて、折り込み部（マチ）の部分を打ち抜いて取り除くことによって、包装袋を製造する工程の一例を示す図である。図７では、筒状のプラスチックフィルム７の両サイドに、それぞれ折り込み部（マチ）７０，７１が設けられている。折り込み部７０の折り込み量は、包装袋４０の短上辺４６，４７の長さの約半分とし、折り込み部７１の折り込み量は、包装袋４０の手提げ部４２，４３の長さの約半分とする。
【００４２】
筒状のプラスチックフィルム７の各位置７２，７３で、包装袋４０の側面部となる部分をシールすると共にプラスチックフィルム７を分離する溶断工程を行う。この溶断工程によって、筒状のプラスチックフィルム７の位置７２，７３には溶着部又は接着部が形成される。全閉状の袋７５が個別に作成される。位置７２と位置７３との間の長さは、包装袋４０の収納部４１の外周長さの約半分とする。なお、シール工程だけを先に行い、その後に溶着部又は接着部のほぼ中央付近の位置７４にてプラスチックフィルム７を裁断分離する裁断工程を別々に実行してもよい。この工程をインラインで実施することによって、全閉状の袋７５が形成される。
【００４３】
全閉状の袋７５を１０〜１００枚程度束ねて、折り込み部（マチ）７１を含む不要部分７７〜７９を打ち抜き、その不要部分７７〜７９を取り除く、打ち抜き工程を行う。この打ち抜き工程によって形成され包装袋７６の折り込み部（マチ）７１を延ばすことによって、手提げ部４２，４３を備えた包装袋７６が形成される。この包装袋７６と、図４，５に示す包装袋４０とでは、形状が若干異なるが、略直方体形状の物品２０を収納することによって、その収納部の形状はほぼ同じになる。
【００４４】
図８は、図７の製造方法の変形例を示す図である。図８において、図７と同じ構成のものには同一の符号が付してあるので、その説明は省略する。図８では、包装袋の片縁である収納部側にだけ折り込み部（マチ）７０のある筒状のプラスチックフィルム７ａから全閉状の袋８５を作り、全閉状の袋８５を１０〜１００枚重ねて、不要部分８７〜８９を打ち抜いて取り除くことによって、包装袋８６を製造している。図８では、筒状のプラスチックフィルム７ａの片サイドすなわち収納部側に、折り込み部（マチ）７０が設けられている。折り込み部７０の折り込み量は、包装袋４０の短上辺４６，４７の長さの約半分とする。この包装袋８６は、図７の包装袋７６とほぼ同じである。
【００４５】
なお、図８の実施の形態では、包装袋の収納部側にだけ折り込み部（マチ）７０のある筒状のプラスチックフィルム７ａについて説明したが、包装袋の片縁である手提げ部４２，４３側にだけ折り込み部（マチ）７１の形成された筒状のプラスチックフィルムについて、図７のような不要部分７７〜７８を取り除く打ち抜き工程を実施してもよい。
【００４６】
図９は、図８の製造方法の変形例を示す図である。図９において、図８と同じ構成のものには同一の符号が付してあるので、その説明は省略する。図９では、筒状のプラスチックフィルム７ｃは折り込まれることなく、そのまま使用され、全閉状の平袋９５を作り、全閉状の平袋９５を１０〜１００枚重ねて、不要部分８７〜８９を打ち抜いて取り除くことによって、包装袋９６を製造している。この包装袋９６は、図７の包装袋７６及び図８の包装袋８６と異なり、包装袋９６の短上辺から下端部までの長さが、図７及び図８の折り込み部（マチ）７０，７１の折り込み量の分だけ長くなっているが、略直方体形状の物品２０を収納することによって、その収納部の形状はほぼ同じになる。
【００４７】
図１０は、インラインで進行する両縁に折り込み部（マチ）のある筒状のプラスチックフィルムから折り込み部（マチ）の部分を打ち抜いて取り除き、その後に溶断工程を実行することによって包装袋をインライン方式で製造する工程の一例を示す図である。図１０において、図７と同じ構成のものには同一の符号が付してあるので、その説明は省略する。図７の実施の形態では、溶断工程にて成形された全閉状の袋を１０〜１００枚程度束ねて、不要部分７７〜７８を打ち抜き工程によって取り除いているが、図１０の実施の形態では、筒状のプラスチックフィルム７ｄの両縁（両サイド）に形成された折り込み部（マチ）７０，７１のうち、折り込み部（マチ）７１を含む不要部分１０７を打ち抜き工程によって取り除いて、その後に溶断工程にて分離し、個々の包装袋１０６を作成する。
【００４８】
すなわち、打ち抜き工程によって、折り込み部（マチ）７１を含む不要部分１０７の取り除かれた筒状のプラスチックフィルム７ｄに対して、各位置７２，７３で、包装袋４０の側面部となる部分をシールすると共にプラスチックフィルム７ｄを分離する溶断工程を行う。この溶断工程によって、筒状のプラスチックフィルム７ｄの位置７２，７３には溶着部又は接着部が形成された包装袋１０６が個別にインライン工程にて作成されるようになる。
【００４９】
なお、打ち抜き工程の後に、シール工程だけを先に行い、その後に溶着部又は接着部のほぼ中央付近の位置７４にてプラスチックフィルム７ｄを裁断分離する裁断工程を行ってもよい。また、打ち抜き工程の前にシール工程を先に行い、その後に打ち抜き工程にて、折り込み部（マチ）７１を含む不要部分１０７と、シール工程にて形成された溶着部又は接着部及び折り込み部（マチ）７１を含む不要部分１０８とを取り除き、その後に溶着部又は接着部のほぼ中央付近の位置７４にてプラスチックフィルム７ｄを裁断分離する裁断工程を行うようにしてもよい。
【００５０】
以上の各工程をインラインで実施することによって、包装袋１０６を作成することができる。裁断工程によって作成された包装袋１０６の折り込み部（マチ）７１を延ばすことによって、手提げ部４２，４３を備えた包装袋１０６が作成できる。この包装袋１０６は、図７の包装袋７６と同じであり、略直方体形状の物品２０を収納することによって、その収納部の形状は図４，５の包装袋４０とほぼ同じになる。
【００５１】
図１１は、図１０の製造方法の変形例を示す図である。図１１において、図１０と同じ構成のものには同一の符号が付してあるので、その説明は省略する。図１１では、包装袋の片縁である収納部側にだけ折り込み部（マチ）７０のある筒状のプラスチックフィルム７ｅから不要部分１１７を打ち抜き工程によって取り除いて、その後に溶断工程にて分離し、個々の包装袋１１６を作成する。
【００５２】
なお、打ち抜き工程の後に、シール工程だけを先に行い、その後に裁断工程を行ってもよい。また、打ち抜き工程の前にシール工程を先に行い、その後に打ち抜き工程を行い、不要部分１１７とシール工程にて形成された溶着部又は接着部を含む不要部分１１８とを取り除き、その後に裁断工程を行ってもよい。以上の各工程をインラインで実施することによって、手提げ部４２，４３を備えた包装袋１１６を作成できる。
【００５３】
この包装袋１１６は、図８の包装袋８６と同じであり、略直方体形状の物品２０を収納することによって、その収納部の形状は図４，５の包装袋４０と同じになる。なお、図１１の実施の形態では、包装袋の収納部側にだけ折り込み部（マチ）７０のある筒状のプラスチックフィルム７ｅについて説明したが、包装袋の片縁である手提げ部４２，４３側にだけ折り込み部（マチ）７１の形成された筒状のプラスチックフィルムについて、図１０のような不要部分１０７，１０８を取り除く打ち抜き工程を実施してもよい。
【００５４】
図１２は、図１１の製造方法の変形例を示す図である。図１２において、図１１と同じ構成のものには同一の符号が付してあるので、その説明は省略する。図１２では、筒状のプラスチックフィルム７ｆは折り込まれることなく、そのまま使用され、プラスチックフィルム７ｆから不要部分１２７を打ち抜き工程によって取り除いて、その後に溶断工程にて分離し、個々の包装袋１２６を作成する。
【００５５】
なお、打ち抜き工程の後に、シール工程だけを先に行い、その後に裁断工程を行ってもよい。また、打ち抜き工程の前にシール工程を先に行い、その後に打ち抜き工程を行い、不要部分１２７とシール工程にて形成された溶着部又は接着部を含む不要部分１２８とを取り除き、その後に裁断工程を行ってもよい。
【００５６】
以上の各工程をインラインで実施することによって、手提げ部４２，４３を備えた包装袋１２６を作成できる。この包装袋１２６は、図９の包装袋９６と同じであり、略直方体形状の物品２０を収納することによって、その収納部の形状は図４，５の包装袋４０とほぼ同じになる。
【００５７】
図１３は、図７〜図１２に示す包装袋製造方法にて製造された包装袋７６，８６，９６，１０６，１１６，１２６に略直方体形状の物品２０を収納した状態の一例を示す斜視図であり、図４（Ａ）に対応するものである。図１３において、図４と同じ構成のものには同一の符号が付してあるので、その説明は省略する。図１３の包装袋７６，８６，９６，１０６，１１６，１２６が図４のものと異なる点は、製造過程にて形成される溶着部又は接着部７２ａが、包装袋７６，８６，９６，１０６，１１６，１２６の側面部に存在する点であり、これ以外は図４の包装袋４０とほぼ同じ形状である。
【００５８】
筒状のプラスチックフィルム７，７ａ，７ｂ，７ｃ，７ｄ，７ｅ，７ｆの横幅、折り込み部７１，７２の折り込み量、不要部分７７〜７９，８７〜８９，１０７，１０８、１１７、１１８、１２７，１２８の大きさは、完成する包装袋の大きさ、収納される物品の大きさ及び手提げ部４２，４３の長さや幅などに応じて適宜変更可能である。
【００５９】
上述の実施の形態では、不要部分７９，１０７，１０８の形状、及び不要部分８９，１１７，１１８の形状がそれぞれ同じ場合について説明したが、不要部分の形状は、収納される物品の大きさ及び手提げ部４２，４３の長さに対応して適宜変更可能である。
【００６０】
また、不要部分１０７，１０８、不要部分１１７，１１８、不要部分１２７，１２８をそれぞれ同じ形状とすることによって、同じ形状にて順次打ち抜き作業を行えばよいので、打ち抜き工程を簡略化することができる。
【００６１】
さらに、不要部分１０７，１０８、不要部分１１７，１１８、不要部分１２７，１２８をそれぞれ異なる形状とした場合には、不要部分１０７，１０８、不要部分１１７，１１８、不要部分１２７，１２８を同時に打ち抜くことによって打ち抜き工程を簡略化することができる。
【００６２】
図７及び図１０の実施の形態では、折り込み部（マチ）７０，７１の折り込み量が異なる場合について説明したが、折り込み部（マチ）７０，７１の折り込み量を同じとし、不要部分７７〜７９，１０７，１０８のインライン方向に対する垂直な方向の長さを手提げ部４２，４３の長さに合わせて適宜調整することによって、所望の長さ（形状）の手提げ部を形成することができる。これは、同じ折り込み量を形成する製造工程に適用した場合に、不要部分の形状を変更することで容易に実施できるようにするためである。
【００６３】
図４及び図１３の包装袋は、収納部４１の長方形状の開口部の四隅すなわち収納する略直方体形状の物品２０の両端部の位置に手提げ部４２，４３が形成されているが、手提げ部４２，４３間の間隔を短くし、収納部４１の長方形状の開口部の四隅よりも内側中央寄りに手提げ部４２，４３が位置するようにしてもよい。
【符号の説明】
【００６４】
１０，１０ａ，１０ｂ…包装袋
１１…収納部
１２，１３…手提げ部
１４〜１７…上辺
２０，２０ａ，２０ｂ…物品
４０，４０ａ，４０ｂ…包装袋
４１…収納部
４２，４３…手提げ部
４４，４５…長上辺
４６，４７…短上辺
７５，８５，９５…全閉状の袋
７６，８６，９６．１０６，１１６，１２６…包装袋
７７〜７９，８７〜８９，１０７，１０８、１１７、１１８、１２７，１２８…不要部分
７，７ａ，７ｂ，７ｃ，７ｄ，７ｅ，７ｆ…プラスチックフィルム
７２ａ…溶着部又は接着部
【図１】
2016108047.tif 000003
【図２】
2016108047.tif 000004
【図３】
2016108047.tif 000005
【図４】
2016108047.tif 000006
【図５】
2016108047.tif 000007
【図６】
2016108047.tif 000008
【図７】
2016108047.tif 000009
【図８】
2016108047.tif 000010
【図９】
2016108047.tif 000011
【図１０】
2016108047.tif 000012
【図１１】
2016108047.tif 000013
【図１２】
2016108047.tif 000014
【図１３】
2016108047.tif 000015